(57)【特許請求の範囲】
【請求項１】
複数のオーディオストリーム情報が記録された光ディスク媒体を再生することができ、外部への送信部を有する光ディスク再生装置において、
前記媒体から、再生可能なオーディオストリーム数を取り出す手段と、
UOP情報によりオーディオストリームチェンジのユーザ操作が許可されているか否かの情報を取り出す手段と、
前記オーディオストリーム数の情報と前記ユーザ操作情報により、ユーザが選択可能なオーディオストリーム数を導き出す手段と、
前記ユーザが選択可能なオーディオストリーム数をリモコンに送信する手段とを具備したことを特徴とする光ディスク再生装置。
【請求項２】
請求項１における光ディスク再生装置を操作するためのリモコン信号を送信することが出来るリモコンにおいて、
前記光ディスク再生装置からの情報を受信するための受信部を有し、前記送信手段によって送られた前記ユーザが選択可能なオーディオストリーム数を受信する手段と、
前記オーディオストリーム数により、ユーザがオーディオストリームの変更が可能かどうかをリモコン側で判断する手段と、
前記オーディオストリーム数をリモコンの表示素子により表示させることによってユーザに伝達する手段とを具備したことを特徴とするリモコン。
【請求項３】
複数のオーディオストリーム情報が記録された光ディスク媒体を再生することができ、外部への送信部を有する光ディスク再生装置において、
前記媒体から、再生可能なオーディオストリーム数を取り出す手段と、
UOP情報によりオーディオストリームチェンジのユーザ操作が許可されているか否かの情報を取り出す手段と、
前記オーディオストリーム数の情報と、前記ユーザ操作情報をリモコンに送信する手段とを具備したことを特徴とする光ディスク再生装置。
【請求項４】
請求項３における光ディスク再生装置を操作するためのリモコン信号を送信することが出来るリモコンにおいて、
前記光ディスク再生装置からの情報を受信するための受信部を有し、前記送信手段によって送られた、前記オーディオストリーム数の情報と、前記ユーザ操作情報により、ユーザが選択可能なオーディオストリーム数を導き出す手段と、
前記ユーザが選択可能なオーディオストリーム数により、ユーザがオーディオストリーム変更可能かどうかをリモコン側で判断する手段と、
前記オーディオストリーム数をリモコンの表示素子により表示させることによってユーザに伝達する手段とを具備したことを特徴とするリモコン。
【請求項５】
複数のオーディオストリーム情報が記録された光ディスク媒体を再生することができ、外部への送信部を有する光ディスク再生装置において、
システムパラメータ情報より、現在のオーディオストリーム番号を入手する手段と、
前記現在のオーディオストリーム番号をリモコンに送信する手段とを具備したことを特徴とする光ディスク再生装置。
【請求項６】
請求項５における光ディスク再生装置を操作するためのリモコン信号を送信することが出来るリモコンにおいて、
前記光ディスク再生装置からの情報を受信するための受信部を有し、前記送信手段によって送られた、前記現在のオーディオストリーム番号をリモコンの表示素子により表示させることによってユーザに伝達する手段を具備したことを特徴とするリモコン。
【請求項７】
複数のサブピクチャストリーム情報が記録された光ディスク媒体を再生することができ、外部への送信部を有する光ディスク再生装置において、
前記媒体から、再生可能なサブピクチャストリーム数を取り出す手段と、
UOP情報によりサブピクチャストリームチェンジのユーザ操作が許可されているか否かの情報を取り出す手段と、
前記サブピクチャストリーム数の情報と前記ユーザ操作情報により、ユーザが選択可能なサブピクチャストリーム数を導き出す手段と、
前記ユーザが選択可能なサブピクチャストリーム数をリモコンに送信する手段とを具備することを特徴とする光ディスク再生装置。
【請求項８】
請求項７における光ディスク再生装置を操作するためのリモコン信号を送信することが出来るリモコンにおいて、
前記光ディスク再生装置からの情報を受信するための受信部を有し、前記送信手段によって送られた前記ユーザが選択可能なサブピクチャストリーム数を受信する手段と、
前記サブピクチャストリーム数により、ユーザがサブピクチャストリームの変更が可能かどうかをリモコン側で判断する手段と、
前記サブピクチャストリーム数をリモコンの表示素子により表示させることによってユーザに伝達する手段とを具備することを特徴とするリモコン。
【請求項９】
複数のサブピクチャストリーム情報が記録された光ディスク媒体を再生することができ、外部への送信部を有する光ディスク再生装置において、
前記媒体から、再生可能なサブピクチャストリーム数を取り出す手段と、
UOP情報によりサブピクチャストリームチェンジのユーザ操作が許可されているか否かの情報を取り出す手段と、
前記サブピクチャストリーム数の情報と、前記ユーザ操作情報をリモコンに送信する手段とを具備することを特徴とする光ディスク再生装置。
【請求項１０】
請求項９における光ディスク再生装置を操作するためのリモコン信号を送信することが出来るリモコンにおいて、
前記光ディスク再生装置からの情報を受信するための受信部を有し、前記送信手段によって送信された、前記サブピクチャストリーム数の情報と、前記ユーザ操作情報により、ユーザが選択可能なサブピクチャストリーム数を導き出す手段と、
前記ユーザが選択可能なサブピクチャストリーム数により、ユーザがサブピクチャストリーム変更可能かどうかをリモコン側で判断する手段と、
前記サブピクチャストリーム数をリモコンの表示素子により表示させることによってユーザに伝達する手段とを具備することを特徴とするリモコン。
【請求項１１】
複数のサブピクチャストリーム情報が記録された光ディスク媒体を再生することができ、外部への送信部を有する光ディスク再生装置において、
システムパラメータ情報より、現在のサブピクチャストリーム番号を入手する手段と、
前記現在のサブピクチャストリーム番号をリモコンに送信する手段とを具備することを特徴とする光ディスク再生装置。
【請求項１２】
請求項１１における光ディスク再生装置を操作するためのリモコン信号を送信することが出来るリモコンにおいて、
前記光ディスク再生装置からの情報を受信するための受信部を有し、前記送信手段によって送られた、前記現在のサブピクチャストリーム番号をリモコンの表示素子により表示させることによってユーザに伝達する手段を具備することを特徴とするリモコン。
【発明の詳細な説明】
【０００１】
【発明の属する技術分野】
この発明は、光ディスク再生システムに係り、特に光ディスク再生システムにおけるユーザインタフェースの改善に関する。
【０００２】
【従来の技術】
近年、映像や音声等を記録した光ディスクを再生するシステムが開発された。光ディスク技術の進歩により、１枚の光ディスクにより実現される機能は増大している。中でもDVDには、規格により、複数のオーディオストリーム、複数のサブピクチャストリーム、複数のアングル等を１枚のディスクに書き込むことが出来、ユーザの操作により変更することが出来る。
【０００３】
しかし、世の中には数多くのDVDコンテンツが存在し、全てのDVDコンテンツに複数のオーディオストリーム、複数のサブピクチャストリーム、複数のアングルがあるわけではない。
【０００４】
また、１枚のDVDディスクの中でも、場面毎に選べるオーディオストリーム、サブピクチャストリーム、アングルが変化する。
【０００５】
従来の技術では、上記オーディオストリーム、サブピクチャストリーム、アングルの情報をユーザに伝えるために、上記オーディオストリーム、サブピクチャストリーム、アングルを変更するためのユーザ操作を行うと、OSD（On-Screen Display）に禁止マークを表示することにより、上記オーディオストリーム、サブピクチャストリーム、アングルが変更出来ないことを伝える。もしくは、GUI(Graphical User Interface)のディスク情報画面表示にて上記オーディオストリーム、サブピクチャストリーム、アングルの最大数とそれに対する現在の数値を与えていた。
【０００６】
【発明が解決しようとする課題】
上記禁止マークを表示させる方法では、現在再生中のストリームが切り替え可能であるかどうかを前もって知るには、OSDなどを表示させるよりほかなく、無駄なキー処理を行うことになり、また、いくつのオーディオストリーム、サブピクチャストリーム、アングルを有する場面であるかわからないという問題があった。
【０００７】
また、上記GUIのディスク情報画面表示は、ユーザが前もってその画面を表示させねばならず、また、画面の一部を使用するため、画面一杯にコンテンツを楽しむことができなかった。
【０００８】
そこで、本発明では、送受信が可能なリモコン、送受信が可能な光ディスク再生装置を用い、ユーザに分かりやすい協調的なインタフェースを提供することを目的とする。
【０００９】
【課題を解決するための手段】
そこで、本発明では、送受信が可能なリモコン、送受信が可能な光ディスク再生装置を用い、光ディスク再生装置からリモコンに上記オーディオストリーム、サブピクチャストリーム、アングルの現在選択可能な数、また、現在選択している上記オーディオストリーム、サブピクチャストリーム、アングルの番号を送り、リモコン上で表示させるようにしている。
【００１０】
すなわち、本発明では、複数のアングル情報、複数のオーディオストリーム情報、サブピクチャ情報の少なくとも１つが記録された光ディスク媒体を再生することができ、外部への送信部を有する光ディスク再生装置において、前記媒体から、再生可能なアングル数、複数のオーディオストリーム情報あるいはサブピクチャ情報の少なくともひとつを取り出す手段と、ユーザ操作ビットにより、アングル、オーディオストリーム、サブピクチャのいずれかをチェンジするためのユーザ操作が許可されているか否かのユーザ操作情報を取り出す手段と、前記アングル数情報と、オーディオストリーム情報、サブピクチャ情報の少なくともひとつと、前記ユーザ操作情報とにより、ユーザが選択可能なアングル数を導出する導出手段と、前記ユーザが選択可能なアングル数、オーディオストリーム数、サブピクチャ数の少なくとも一つの情報をリモコンに送信する手段とを具備したことを特徴とする。
【００１１】
また、この光ディスク再生装置を操作するためのリモコン信号を送信するように構成されたリモコンにおいて、前記光ディスク再生装置からの情報を受信するための受信部を有し、前記ユーザが選択可能なアングル数、オーディオストリーム数、サブピクチャ数のいずれかを受信する手段と、前記アングル数、オーディオストリーム数、サブピクチャ数により、ユーザがアングル、オーディオストリーム、サブピクチャを変更可能かどうかをリモコン側で判断する手段と、前記アングル数、オーディオストリーム数、サブピクチャ数の少なくともひとつをリモコンの表示素子により表示させることによってユーザに伝達する手段とを具備したことを特徴とする。
【００１２】
かかる構成によれば送信部を搭載した光ディスク再生装置、受信部を搭載した制御リモコンを具備しているため、アングル、オーディオストリーム、サブピクチャのユーザが選択可能な数、現在の番号を光ディスク再生装置からリモコンに送信し、右図のようにリモコン上の表示素子に表示させることにより、ユーザフレンドリーなインターフェースを実現することが可能となる。
【００１３】
【発明の実施の形態】
次に本発明の実施の形態について説明する。
（実施例１）
本発明の第１の態様は、リモコンにデータを送信するための送信部を有し（図１：１０３）、複数のアングル情報が記録された光ディスク媒体を再生することが出来る光ディスク再生装置（図１：１０１）を用いることを特徴とするものである。
【００１４】
上記光ディスク媒体に記載されたビデオ・マネージャ情報（以下：VMGI）のアングル数（以下：AGL_Ns）、プログラム・チェーン情報（以下：PGCI）のセル再生情報テーブル（以下：C_PBIT）のセルカテゴリ（C_CAT）に書いてあるセルブロックタイプ（Cell Block type）情報、PGCI・再生制御情報（以下：PCI）のPGC_UOP_CTL・VOBU_UOP_CTLに記載のUOP２２（アングル変更のユーザ操作コントロールフラグ）を用い、ユーザが選択可能なアングル数を導き出す。図２のUOP情報により、ユーザ操作の禁止／許可を判断し、図３の手順に従ってユーザが選択可能なアングル数を算出する（ステップ３０１）。
【００１５】
まず、VMGIのAGL_Nsの値をディスクより読みとる（ステップ３０２）。そして、PGCIのC_PBITのC_CATに書いてあるCell Block type情報により、アングルブロックであるか否かを判断し（ステップ３０３）、アングルブロックであった場合、前記ユーザ操作の禁止／許可状態を判断し（ステップ３０４）、許可されている場合は前記ユーザが選択可能なアングル数はAGL_Nsの値とする（ステップ３０５）。前記ステップ３０４にてユーザ操作が禁止されている場合は、前記ユーザが選択可能なアングル数は１とする（ステップ３０６）。
【００１６】
またステップ３０３にてアングルブロックでなかった場合も前記ユーザが選択可能なアングルブロックは１とする（ステップ３０６）。
【００１７】
そして、求めた前記ユーザが選択可能なアングル数を１０３の送信部よりリモコン１０２に送信する（ステップ３０７）。図４のように、リモコンに送信するタイミング（４０１）として、判断ステップ４０２にて前回のアングル数と等しいか否かを判断し、前回のアングル数と変化があるときに送信する（ステップ４０３）例や、図５のように、リモコンに送信するタイミング（５０１）として、判断ステップ５０２にて一定時間経過したか否かを判断し（ステップ５０２）、一定時間経過するたびに送信する（ステップ５０３）例が考えられる。
【００１８】
これにより、リモコン側でユーザが選択可能なアングル数を検知することが可能となり、協調的なユーザインタフェースを実現することができる。
【００１９】
（実施例２）
本発明の第２の態様は、光ディスク再生装置からデータを受信するための受信部（図１：１０４）を有する光ディスク再生装置制御リモコン（図１：１０２）を用いることを特徴とするものである。
図１において、光ディスク再生装置１０１の送信部１０３より、制御リモコン１０２の受信部１０４に、前記ユーザが変更可能なアングル数情報が送信され、表示素子６０１により、選択可能なアングル数を表示する。図６のリモコンにユーザ選択可能なアングル数６０３を表示することが出来る。
【００２０】
これにより、ユーザはアングルチェンジ可能な区間であるか否か、また、アングルがいくつある区間なのかを知ることが出来、協調的なインタフェースを実現できる。
【００２１】
（実施例３）
本発明の第３の態様は、リモコンにデータを送信するための送信部を有し（図１：１０３）、複数のアングル情報が記録された光ディスク媒体を再生することが出来る光ディスク再生装置（図１：１０１）を用いることを特徴とするものである。
【００２２】
上記光ディスク媒体に記載されたVMGIのアングル数AGL_Ns、PGCI・PCIのPGC_UOP_CTL・VOBU_UOP_CTLに記載のUOP２２（アングル変更のユーザ操作コントロールフラグ）を図１：１０３の送信部よりリモコン図１：１０２に送信する。リモコンに送信するタイミングとして、図５のように、一定時間経過するたびに送信する（ステップ５０２）例が考えられる。
【００２３】
これにより、リモコン側でユーザが選択可能なアングル数を計算する為の情報を受けることが可能となり、協調的なユーザインタフェースが実現できる。
【００２４】
（実施例４）
本発明の第４の態様は、光ディスク再生装置からデータを受信するための受信部（図１：１０４）を有する光ディスク再生装置制御リモコン（図１：１０２）を用いることを特徴とするものである。
【００２５】
図１において、光ディスク再生装置１０１の送信部１０３より、制御リモコン１０２の受信部１０４で、前記VMGIのアングル数AGL_Ns、PGCI・PCIのPGC_UOP_CTL・VOBU_UOP_CTLに記載のUOP２２（アングル変更のユーザ操作コントロールフラグ）を受信し、前記AGL_Ns、PGC_UOP_CTL・VOBU_UOP_CTLのUOP２２、PGCIのC_PBIに記載のC_CAT情報により、図３のフローに従いユーザが選択可能なアングル数を算出する。
【００２６】
そしてステップ３０３によりC_CAT情報からアングルブロックであるか否かを判断し、アングルブロックでなければ、求めるユーザが選択可能なアングル数は１とする（ステップ３０６）。アングルブロックであった場合は、UOP２２情報を見て、図２の表よりユーザ操作の禁止／許可を判断し（ステップ３０４）、禁止であった場合は求める前記ユーザが選択可能なアングル数は１とする（ステップ３０６）。許可であった場合は、求める前記ユーザが選択可能なアングル数はAGL_Nsとする（ステップ３０５）。
【００２７】
そして、図１の表示素子１０５により、前記求めた選択可能なアングル数を表示する。図６のようにリモコンにユーザ選択可能なアングル数６０３を表示することが出来る。
【００２８】
これにより、ユーザはアングルチェンジ可能な区間であるか否か、また、アングルがいくつある区間なのかを知ることが出来、協調的なインタフェースを実現できる。
【００２９】
（実施例５）
本発明の第５の態様は、リモコンにデータを送信するための送信部を有し（図１：１０３）、複数のアングル情報が記録された光ディスク媒体を再生することが出来る光ディスク再生装置（図１：１０１）を用いることを特徴とするものである。図７にその手順をフローチャートとともに説明する。
【００３０】
ここでは、まず、システムパラメータ情報（以下：SPRM）中の現在のアングル番号情報を用い、ユーザに伝える現在のアングル番号を作成する。そしてSPRMのアングル番号情報を取得する（ステップ７０２）。PGCIのC_PBIのC_CATを参照し、現在アングルブロックを再生しているか否かを判断し（ステップ７０３）、アングルブロックでなければ、７０６にて前記ユーザに伝える現在のアングル番号は１とする（ステップ７０６）。アングルブロックであれば、PGCI・PCIのPGC_UOP_CTL・VOBU_UOP_CTLに記載のUOP２２情報からユーザ操作が許可されているか否かを判断し（ステップ７０４）、ユーザ操作が禁止されている場合は、前記ユーザに伝える現在のアングル番号は１とする（ステップ７０６）。許可されている場合は、求める前記ユーザに伝える現在のアングル番号はSPRM（３）のAGLNの値とする（ステップ７０５）。
【００３１】
そして、求めた前記ユーザが選択可能なアングル数を図１の送信部１０３よりリモコン１０２に送信する。リモコンに送信するタイミングとして、図４に示した実施例１の場合のように、判断ステップ４０２にて前回のアングル数と等しいか否かを判断し、前回のアングル数と変化があるときに送信する例や、図５に示した実施例２の場合のように、判断ステップ５０２にて一定時間経過したか否かを判断し、一定時間経過するたびに送信する例が考えられる。
【００３２】
また、前記SPRM（３）情報、C_CAT情報、UOP２２情報をそのまま加工せずにリモコンに送信する方法も考えられる。この場合は、リモコン側で前記ユーザに伝える現在のアングル番号を作成する必要がある。
【００３３】
これにより、リモコン側で現在のアングル番号を受けることが可能となり、協調的なユーザインタフェースが実現できる。
【００３４】
（実施例６）
本発明の第６の態様は、光ディスク再生装置からデータを受信するための受信部（図１：１０４）を有する光ディスク再生装置制御リモコン（図１：１０２）を用いることを特徴とするものである。
【００３５】
図１において、光ディスク再生装置１０１の送信部１０３より、制御リモコン１０２の受信部１０４に、前記ユーザに伝える現在のアングル番号情報が送信され、表示素子１０５により、前記ユーザに伝える現在のアングル番号を表示する。図６のリモコンに前記ユーザに伝える現在のアングル番号６０２を表示することが出来る。
【００３６】
また、前記SPRM（３）情報、C_CAT情報、UOP２２情報をそのまま受信した場合は、リモコン側で図７に示したフローチャートに沿って、前記ユーザに伝える現在のアングル番号を算出する必要がある。求めた前記ユーザに伝える現在のアングル番号は、同じように図６のリモコンに前記ユーザに伝える現在のアングル番号６０２を表示することが出来る。
【００３７】
これにより、ユーザは現在のアングル番号をリモコン上で知ることが出来、協調的なインタフェースを実現することができる。
【００３８】
（実施例７）
【００３９】
本発明の第７の態様は、リモコンにデータを送信するための送信部を有し（図１：１０３）、複数のオーディオストリーム情報が記録された光ディスク媒体を再生することが出来る光ディスク再生装置（図１：１０１）を用いることを特徴とするものである。
上記光ディスク媒体に記載されたビデオ・タイトル・セット情報（以下：VTSI）に記載のオーディオストリーム数（以下：VTS_AST_Ns）、プログラムチェーン情報（以下：PGCI）・再生制御情報（以下：PCI）のPGC_UOP_CTL・VOBU_UOP_CTLに記載のUOP２０（オーディオストリーム変更のユーザ操作コントロールフラグ）を用い、ユーザが選択可能なオーディオストリーム数を導き出す。図２のUOP情報により、ユーザ操作の禁止／許可を判断し、図８にフローチャートを示すようにこの手順に従ってユーザが選択可能なオーディオストリーム数を算出する。まず、VTSIのVTS_AST_Nsの値をディスクより読みとる（ステップ８０２）。PGCIのPGC_AST_CTLTのAvailability Flagより、オーディオストリームが現在のPGC内で有効か否かを判断し（ステップ８０３）、有効で無かった場合、前記ユーザが選択可能なオーディオストリーム数は１とする（ステップ８０６）。有効であった場合は、前記ユーザ操作の禁止／許可状態を判断し（ステップ８０４）、禁止されている場合は、求める前記ユーザが選択可能なオーディオストリーム数は１とする（ステップ８０６）。許可されている場合は、求める前記ユーザが選択可能なオーディオストリーム数はVTS_AST_Nsとする（ステップ８０５）。そして、求めた前記ユーザが選択可能なオーディオストリーム数を図１の送信部１０３よりリモコン１０２に送信する。リモコンに送信するタイミングとして、図９のように、判断ステップ９０２にて前回のオーディオストリーム数と等しいか否かを判断し、前回のオーディオストリーム数と変化があるときに送信する（ステップ９０３）例や、図１０のように、判断ステップ１００２にて一定時間経過したか否かを判断し、一定時間経過するたびに送信する（ステップ１００２）例が考えられる。
【００４０】
これにより、リモコン側でユーザが選択可能なオーディオストリーム数を受けることが可能となり、協調的なユーザインタフェースを実現することができる。
【００４１】
（実施例８）
【００４２】
本発明の第８の態様は、光ディスク再生装置からデータを受信するための受信部（図１：１０４）を有する光ディスク再生装置制御リモコン（図１：１０２）を用いることを特徴とするものである。
【００４３】
図１において、光ディスク再生装置１０１の送信部１０３より、制御リモコン１０２の受信部１０４に、前記ユーザが選択可能なオーディオストリーム数情報が送信され、表示素子１０５により、前記ユーザが選択可能なオーディオストリーム数を表示する。図６のリモコンにユーザが選択可能なオーディオストリーム数６０７を表示することが出来る。
【００４４】
これにより、ユーザはオーディオストリームチェンジ可能な区間であるか否か、また、選択可能なオーディオストリーム数がいくつある区間なのかを知ることが出来、協調的なインタフェースを実現できる。
【００４５】
（実施例９）
本発明の第９の態様は、リモコンにデータを送信するための送信部を有し（図１：１０３）、複数のアングル情報が記録された光ディスク媒体を再生することが出来る光ディスク再生装置（図１：１０１）を用いることを特徴とするものである。
【００４６】
前記光ディスク媒体に記載されたVTSI内のVTS_AST_Ns、PGCIのPGC_AST_CTLTのAvailability flag情報、PGCI・PCIのPGC_UOP_CTL・VOBU_UOP_CTLに記載のUOP２０（オーディオストリーム変更のユーザ操作コントロールフラグ）を図１：送信部１０３よりリモコン１０２に送信する。リモコンに送信するタイミングとして、図１０にフローチャートを示したように、１００２にて一定時間経過するたびに送信する例が考えられる。
【００４７】
これにより、リモコン側でユーザが選択可能なオーディオストリーム数を計算する為の情報受けることが可能となり、協調的なユーザインタフェースが実現できる。
【００４８】
（実施例１０）
本発明の第１０の態様は、光ディスク再生装置からデータを受信するための受信部（図１：１０４）を有する光ディスク再生装置制御リモコン（図１：１０２）を用いることを特徴とするものである。
【００４９】
図１において、光ディスク再生装置１０１の送信部１０３より、制御リモコン１０２の受信部１０４で、前記VTSI内のVTS_AST_Ns、PGCIのPGC_AST_CTLTのAvailability flag情報、PGCI・PCIのPGC_UOP_CTL・VOBU_UOP_CTLに記載のUOP２０（オーディオストリーム変更のユーザ操作コントロールフラグ）を受信し、その情報を用いて、図８に示した手順に従い、ユーザが選択可能なオーディオストリーム数を算出する。判断ステップ８０３にて、PGCIのPGC_AST_CTLTのAvailability Flagより、オーディオストリームが現在のPGC内で有効か否かを判断し、有効で無かった場合、求める前記ユーザが選択可能なオーディオストリーム数は１とする（ステップ８０６）。
【００５０】
有効であった場合は、前記ユーザ操作の禁止／許可状態を判断し（ステップ８０４）、禁止されている場合は、求める前記ユーザが選択可能なオーディオストリーム数は１とする（ステップ８０６）。
【００５１】
許可されている場合は、求める前記ユーザが選択可能なオーディオストリーム数はVTS_AST_Nsとする（ステップ８０５）。そして、図１の表示素子１０５により、前記求めたユーザが選択可能なオーディオストリーム数を表示する。図６に示すようにリモコンにユーザが選択可能なオーディオストリーム数６０７を表示することが出来る。
【００５２】
これにより、ユーザはオーディオストリームチェンジ可能な区間であるか否か、また、選択可能なオーディオストリーム数がいくつある区間なのかを知ることが出来、協調的なインタフェースを実現できる。
【００５３】
（実施例１１）
本発明の第１１の態様は、リモコンにデータを送信するための送信部を有し（図１：１０３）、複数のアングル情報が記録された光ディスク媒体を再生することが出来る光ディスク再生装置（図１：１０１）を用いることを特徴とするものである。
【００５４】
システムパラメータ情報（以下：SPRM）中の現在のオーディオストリーム番号情報を用い、ユーザに伝える現在のオーディオストリーム番号を図１１に示すフローチャートに従って作成する。まずステップ１１０２にてSPRMのオーディオストリーム番号情報を取得する。そして判断ステップ１１０３にてPGCIのPGC_AST_CTLTのAvailability Flagより、オーディオストリームが現在のPGC内で有効か否かを判断し、有効で無かった場合、前記現在のオーディオストリーム番号は１とする（ステップ１１０６）。有効であった場合は、さらに判断ステップ１１０４にてPGCI・PCIのPGC_UOP_CTL・VOBU_UOP_CTLに記載のUOP２０情報からユーザ操作が許可されているか否かを判断し、ユーザ操作が禁止されている場合、前記現在のオーディオストリーム番号は１とする（ステップ１１０６）。
【００５５】
そして、求めた前記ユーザが選択可能なアングル数を図１の送信部１０３よりリモコン１０２に送信する。リモコンに送信するタイミングとして、図９に示した例のように、前回のオーディオストリーム番号と変化があるときに送信する（ステップ９０２）にて例や、図１０のように、一定時間経過するたびに送信する（ステップ１００２）例が考えられる。
【００５６】
また、前記SPRM（１）情報、PGCIのPGC_AST_CTLTのAvailability Flag 情報、UOP２０情報をそのまま加工せずにリモコンに送信する方法も考えられる。この場合は、リモコン側で前記ユーザに伝える現在のオーディオストリーム番号を作成する必要がある。
【００５７】
これにより、リモコン側で前記ユーザに伝える現在のオーディオストリーム番号を認識することが可能となり、協調的なユーザインタフェースが実現可能となる。
【００５８】
（実施例１２）
本発明の第１２の態様は、光ディスク再生装置からデータを受信するための受信部（図１：１０４）を有する光ディスク再生装置制御リモコン（図１：１０２）を用いることを特徴とするものである。
【００５９】
図１において、光ディスク再生装置１０１の送信部１０３より、制御リモコン１０２の受信部１０４に、前記ユーザに伝える現在のオーディオストリーム番号情報が送信され、表示素子１０５により、前記ユーザに伝える現在のオーディオストリーム番号を表示する。図６に示すようにリモコンに前記ユーザに伝える現在のオーディオストリーム番号６０６を表示することが出来る。
【００６０】
また、前記SPRM（１）情報、PGCIのPGC_AST_CTLTのAvailability Flag 情報、UOP２０情報をそのまま受信した場合は、リモコン側で図８のフローチャートに沿って、前記ユーザに伝えるオーディオストリーム番号を算出する必要がある。求めた前記ユーザに伝える現在のオーディオストリーム番号は、同じように図６に示すようにリモコンに前記ユーザに伝える現在のオーディオストリーム番号６０６を表示することが出来る。
【００６１】
これにより、ユーザは現在のオーディオストリーム番号をリモコン上で知ることが出来、協調的なインタフェースを実現することができる。
【００６２】
（実施例１３）
本発明の第１３の態様は、リモコンにデータを送信するための送信部を有し（図１：１０３）、複数のサブピクチャストリーム情報が記録された光ディスク媒体を再生することが出来る光ディスク再生装置（図１：１０１）を用いることを特徴とするものである。
【００６３】
上記光ディスク媒体に記載されたビデオ・タイトル・セット情報（以下：VTSI）に記載のサブピクチャストリーム数（以下：VTS_SPST_Ns）、プログラムチェーン情報（以下：PGCI）・再生制御情報（以下：PCI）のPGC_UOP_CTL・VOBU_UOP_CTLに記載のUOP２１（サブピクチャストリーム変更のユーザ操作コントロールフラグ）を用い、ユーザが選択可能なサブピクチャストリーム数を導き出す。
【００６４】
図２のUOP情報により、ユーザ操作の禁止／許可を判断し、図１１にフローチャートを示された手順に従ってユーザが選択可能なサブピクチャストリーム数を算出する。まず、VTSIのVTS_SPST_Nsの値をディスクより読みとる（ステップ１１０２）。PGCIのPGC_SPST_CTLTのAvailability Flagより、サブピクチャストリームが現在のPGC内で有効か否かを判断し（判断ステップ１１０３）、有効で無かった場合、求める前記ユーザが選択可能なサブピクチャストリーム数は１とする（ステップ１１０６）。
【００６５】
有効であった場合は、さらに判断ステップ１１０４にて前記ユーザ操作の禁止／許可状態を判断し、禁止されている場合は、求める前記ユーザが選択可能なサブピクチャストリーム数は１とする（ステップ１１０６）。
【００６６】
許可されている場合は、求める前記ユーザが選択可能なサブピクチャストリーム数はVTS_SPST_Nsとする（ステップ１１０５）。
【００６７】
そして、求めた前記ユーザが選択可能なサブピクチャストリーム数を図１の送信部１０３よりリモコン１０２に送信する。リモコンに送信するタイミングとして、図１２にフローチャートを示すのように、判断ステップ１２０２にて前回のサブピクチャストリーム数と等しいか否かを判断し、前回のサブピクチャストリーム数と変化があるときに送信する（ステップ１２０３）例や、図１３にフローチャートを示すように、判断ステップ１３０２にて一定時間経過したか否かを判断し、一定時間経過するたびに送信する（ステップ１３０３）例が考えられる。
【００６８】
これにより、リモコン側でユーザが選択可能なサブピクチャストリーム数を受けることが可能となり、協調的なユーザインタフェースが実現できる。
【００６９】
（実施例１４）
本発明の第１４の態様は、光ディスク再生装置からデータを受信するための受信部（図１：１０４）を有する光ディスク再生装置制御リモコン（図１：１０２）を用いることを特徴とするものである。
【００７０】
図１において、光ディスク再生装置１０１の送信部１０３より、制御リモコン１０２の受信部１０４に、前記ユーザが選択可能なサブピクチャストリーム数情報が送信され、表示素子１０５により、前記ユーザが選択可能なサブピクチャストリーム数を表示する。図６に示すようにリモコンにユーザが選択可能なサブピクチャストリーム数６０５を表示することが出来る。
【００７１】
これにより、ユーザはサブピクチャストリームチェンジ可能な区間であるか否か、また、選択可能なサブピクチャストリーム数がいくつある区間なのかを知ることが出来、協調的なインタフェースを実現できる。
【００７２】
（実施例１５）
本発明の第１５の態様は、リモコンにデータを送信するための送信部を有し（図１：１０３）、複数のアングル情報が記録された光ディスク媒体を再生することが出来る光ディスク再生装置（図１：１０１）を用いることを特徴とするものである。
【００７３】
前記光ディスク媒体に記載されたVTSI内のVTS_SPST_Ns、PGCIのPGC_SPST_CTLTのAvailability flag情報、PGCI・PCIのPGC_UOP_CTL・VOBU_UOP_CTLに記載のUOP２１（サブピクチャストリーム変更のユーザ操作コントロールフラグ）を送信部１０３よりリモコン１０２に送信する。リモコンに送信するタイミングとして、図１３に示したように、判断ステップ１３０２にて一定時間経過したか否かを判断し、一定時間経過するたびに送信する（ステップ１３０３）例が考えられる。
【００７４】
これにより、リモコン側でユーザが選択可能なサブピクチャストリーム数を計算する為の情報受けることが可能となり、協調的なユーザインタフェースが実現できる。
【００７５】
（実施例１６）
本発明の第１６の態様は、光ディスク再生装置からデータを受信するための受信部（図１：１０４）を有する光ディスク再生装置制御リモコン（図１：１０２）を用いることを特徴とするものである。
【００７６】
図１において、光ディスク再生装置１０１の送信部１０３より、制御リモコン１０２の受信部１０４で、前記VTSI内のVTS_SPST_Ns、PGCIのPGC_SPST_CTLTのAvailability flag情報、PGCI・PCIのPGC_UOP_CTL・VOBU_UOP_CTLに記載のUOP２１（サブピクチャストリーム変更のユーザ操作コントロールフラグ）を受信し、その情報を用いて、図１１の手順に従い、ユーザが選択可能なサブピクチャストリーム数を算出する。
【００７７】
判断ステップ１１０３にて、PGCIのPGC_SPST_CTLTのAvailability Flagより、サブピクチャストリームが現在のPGC内で有効か否かを判断し、有効で無かった場合、求める前記ユーザが選択可能なサブピクチャストリーム数は１とする（ステップ１１０６）。
【００７８】
有効であった場合は、さらに判断ステップ１１０４にて前記ユーザ操作の禁止／許可状態を判断し、禁止されている場合は、求める前記ユーザが選択可能なサブピクチャストリーム数は１とする（ステップ１１０６）。許可されている場合は、求める前記ユーザが選択可能なサブピクチャストリーム数はVTS_SPST_Nsとする（ステップ１１０５）。
【００７９】
そして、図１の表示素子１０５により、前記求めたユーザが選択可能なサブピクチャストリーム数を表示する。図６の６０５のようにリモコンにユーザが選択可能なサブピクチャストリーム数を表示することが出来る。
【００８０】
これにより、ユーザはサブピクチャストリームチェンジ可能な区間であるか否か、また、選択可能なサブピクチャストリーム数がいくつある区間なのかを知ることが出来、協調的なインタフェースを実現できる。
【００８１】
（実施例１７）
本発明の第１７の態様は、リモコンにデータを送信するための送信部を有し（図１：１０３）、複数のアングル情報が記録された光ディスク媒体を再生することが出来る光ディスク再生装置（図１：１０１）を用いる。
【００８２】
システムパラメータ情報（以下：SPRM）中の現在のサブピクチャストリーム番号情報を用い、ユーザに伝える現在のサブピクチャストリーム番号を図１１に示したフローチャートに従って作成する。まず、ステップ１１０２にてSPRMのサブピクチャストリーム番号情報を取得する。
【００８３】
そして判断ステップ１１０３にてPGCIのPGC_SPST_CTLTのAvailability Flagより、サブピクチャストリームが現在のPGC内で有効か否かを判断し、有効で無かった場合、前記現在のサブピクチャストリーム番号は１とする（ステップ１１０６）。
【００８４】
有効であった場合は、さらに判断ステップ１１０４にてPGCI・PCIのPGC_UOP_CTL・VOBU_UOP_CTLに記載のUOP２１情報からユーザ操作が許可されているか否かを判断し、ユーザ操作が禁止されている場合、前記現在のサブピクチャストリーム番号は１とする（ステップ１１０６）。
【００８５】
そして、求めた前記ユーザが選択可能なアングル数を図１の送信部１０３よりリモコン１０２に送信する。リモコンに送信するタイミングとして、図１２のように、判断ステップ１２０２にて前回のサブピクチャストリーム番号と等しいか否かを判断し、前回のサブピクチャストリーム番号と変化があるときに送信する（ステップ１２０３）例や、図１３のように、判断ステップ１３０２にて一定時間経過したか否かを判断し、一定時間経過するたびに送信する（ステップ１３０３）例が考えられる。
【００８６】
また、前記SPRM（２）情報、PGCIのPGC_SPST_CTLTのAvailability Flag 情報、UOP２１情報をそのまま加工せずにリモコンに送信する方法も考えられる。この場合は、リモコン側で前記ユーザに伝える現在のサブピクチャストリーム番号を作成する必要がある。
【００８７】
これにより、リモコン側で前記ユーザに伝える現在のサブピクチャストリーム番号を認識することが可能となり、協調的なユーザインタフェースが実現できる。
【００８８】
（実施例１８）
本発明の第１８の態様は、光ディスク再生装置からデータを受信するための受信部（図１：１０４）を有する光ディスク再生装置制御リモコン（図１：１０２）を用いることを特徴とするものである。
【００８９】
図１において、光ディスク再生装置１０１の送信部１０３より、制御リモコン１０２の受信部１０４に、前記ユーザに伝える現在のサブピクチャストリーム番号情報が送信され、表示素子１０５により、前記ユーザに伝える現在のサブピクチャストリーム番号を表示する。図６に示すようにリモコンに前記ユーザに伝える現在のサブピクチャストリーム番号６０４を表示することが出来る。
【００９０】
また、前記SPRM（２）情報、PGCIのPGC_SPST_CTLTのAvailability Flag 情報、UOP２１情報をそのまま受信した場合は、リモコン側で図８のフローチャートに沿って、前記ユーザに伝えるサブピクチャストリーム番号を算出する必要がある。求めた前記ユーザに伝える現在のサブピクチャストリーム番号は、同じように図６に示すようにリモコンに前記ユーザに伝える現在のサブピクチャストリーム番号６０４を表示することが出来る。
【００９１】
これにより、ユーザは現在のサブピクチャストリーム番号をリモコン上で知ることが出来、協調的なインタフェースを実現できる。
【００９２】
【発明の効果】
以上説明したようにこの発明によれば、ユーザは余分なキー操作を行うことなく、光ディスクのアングル、オーディオストリーム、サブピクチャストリームの情報をリモコンで分かり易く表示しながら受けとることができる。
【図面の簡単な説明】
【図１】概要図
【図２】UOPとユーザ操作の関係
【図３】ユーザが選択可能なアングル数算出フロー
【図４】アングル数送信タイミング１
【図５】アングル数送信タイミング２
【図６】制御リモコン
【図７】現在のアングル番号取得フロー
【図８】ユーザが選択可能なオーディオストリーム数算出フロー
【図９】オーディオストリーム数転送タイミング１
【図１０】オーディオストリーム数転送タイミング２
【図１１】ユーザが選択可能なサブピクチャストリーム数算出フロー
【図１２】サブピクチャストリーム数転送タイミング１
【図１３】サブピクチャストリーム数転送タイミング２
【符号の説明】
１０１ 光ディスク再生装置
１０２ 制御リモコン
１０３、１０４ 送受信部
１０５、６０１ 表示素子
３０３、７０３ アングルブロックか否かの判断
３０４、７０４、８０４、１１０４ ユーザ操作の許可／不許可の判断
４０２ 前回のアングル数と等しいか否かの判断
５０２、１００２、１３０２ 一定時間が経過したか否かの判断
６０２ 現在のアングル番号
６０３ ユーザが選択可能なアングル数
６０４ 現在のサブピクチャ番号
６０５ ユーザが選択可能なサブピクチャストリーム数
６０６ 現在のオーディオストリーム番号
６０７ ユーザが選択可能なオーディオストリーム数
８０３、１１０３ ストリームが現在のPGC内で有効か否かの判断
９０２ 前回のオーディオストリーム数と等しいか否かの判断
１２０２ 前回のサブピクチャストリーム数と等しいか否かの判断
【図１】
0003714536.tif 000002
【図２】
0003714536.tif 000003
【図３】
0003714536.tif 000004
【図４】
0003714536.tif 000005
【図５】
0003714536.tif 000006
【図６】
0003714536.tif 000007
【図７】
0003714536.tif 000008
【図８】
0003714536.tif 000009
【図９】
0003714536.tif 000010
【図１０】
0003714536.tif 000011
【図１１】
0003714536.tif 000012
【図１２】
0003714536.tif 000013
【図１３】
0003714536.tif 000014